(57)【要約】【課題】装置の大型化を抑え、光学部材が抜けてしまう不具合を回避することができる光学ユニット、および撮影装置を提供することを目的とする。【解決手段】光学部材を保持する、光学部材の光軸方向後方に突出する爪を有する枠体と、枠体の爪が光軸方向にガタをもって嵌め込まれて抜け止めされた抜止部を有し、枠体を保持するホルダと、枠体をホルダに引き寄せる方向に付勢する付勢部材とを備えた。落下などの衝撃によって枠体に大きな力が印加されても、枠体が付勢部材によってホルダに向けて付勢されているとともに、枠体の爪がホルダの抜止部に嵌め込まれて抜け止めされているため、枠体がホルダから外れてしまう不具合を回避することができる。【選択図】        図６
2008058651.tif 000002
【特許請求の範囲】
【請求項１】
光学部材を保持する、該光学部材の光軸方向後方に突出する爪を有する枠体と、
前記枠体の爪が光軸方向にガタをもって嵌め込まれて抜け止めされた抜止部を有し、該枠体を保持するホルダと、
前記枠体を前記ホルダに引き寄せる方向に付勢する付勢部材とを備えたことを特徴とする光学ユニット。
【請求項２】
前記枠体と前記ホルダとの間に配備され、前記ホルダに回転自在に保持されたカムリングを備え、
前記枠体が、前記カムリングに干渉する干渉部を有し、該カムリングの回転に伴って、前記ホルダに保持された前記爪が前記抜止部に嵌め込まれたまま光軸方向に移動するものであることを特徴とする請求項１記載の光学ユニット。
【請求項３】
前記枠体が、前記光学部材を直接に保持する第１枠と、該第１枠がねじ込まれ該第１枠の光軸方向の相対位置が調整された状態に該第１枠を固定した第２枠とからなることを特徴とする請求項１記載の光学ユニット。
【請求項４】
撮影レンズを保持する、該撮影レンズの光軸方向後方に突出する爪を有する枠体と、前記枠体の爪が光軸方向にガタをもって嵌め込まれて抜け止めされた抜止部を有し、該枠体を保持するホルダと、前記枠体を前記ホルダに引き寄せる方向に付勢する付勢部材とを備えた光学ユニット、および
前記撮影レンズを通過してきた被写体光を捉えて画像データを生成する撮影部とを具備したことを特徴とする撮影装置。
【請求項５】
前記光学ユニットが、さらに、
前記枠体と前記ホルダとの間に配備され、前記ホルダに回転自在に保持されたカムリングを備え、
前記枠体が、前記カムリングに干渉する干渉部を有し、該カムリングの回転に伴って、前記ホルダに保持された前記爪が前記抜止部に嵌め込まれたまま光軸方向に移動するものであることを特徴とする請求項４記載の撮影装置。
【発明の詳細な説明】
【技術分野】
【０００１】
本発明は、光学部材を光軸方向に移動自在に保持する光学ユニット、および被写体を撮影する撮影装置に関する。
【背景技術】
【０００２】
近年、デジタルカメラの小型化が急速に進んできたことに加えて、携帯電話機やＰＤＡ（Ｐｅｒｓｏｎａｌ  Ｄｉｇｉｔａｌ  Ａｓｓｉｓｔａｎｔ）などといった小型機器に、被写体を撮影してデジタルの撮影画像を取得する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話機やパーソナルコンピュータなどに送ることができるなどという利点もある。
【０００３】
また、近年では、高画素の小型撮像素子や、これに対応した小型レンズなどが開発されてきており、小型の撮影装置でも、十分な画質の撮影画像を取得することができるようになってきている。残る課題としては、撮影装置の小型化と、撮影機能の充実とを両立させることが望まれている。
【０００４】
この点に関し、携帯電話機用の撮影装置では、被写界深度が深い固定焦点レンズを適用することにより、ピント調節機構を省いて小型化を図っているものが多く、この固定焦点レンズを手動で光軸方向に移動させることによって、接写撮影を実現するものも知られている。
【０００５】
図１は、接写撮影が可能な撮影装置の外観斜視図であり、図２は、図１に示す撮影装置の分解斜視図である。以下では、被写体光Ｌの入射側を前、被写体光Ｌの出射側を後と称して説明する。
【０００６】
図１に示す撮影装置１は、携帯電話機などに搭載される小型の撮影装置であり、固定焦点レンズ１１、固定焦点レンズ１１を保持するレンズ保持枠１０、レンズ保持枠１０を保持するホルダ２０、レバー３１が設けられたカムリング３０、フランジバックを調整するための調整リング４０、レンズ保持枠１０をホルダ２０に向けて付勢する引っ張りばね５０、シャッタ６０、および撮像素子（図示しない）などで構成されている。
【０００７】
ホルダ２０は、前面にカム面が形成されており、調整リング４０の背面には、ホルダ２０のカム面と嵌り合うカム突起が設けられている。また、レンズ保持枠１０は、背面にカムリング３０と嵌り合うカム突起が形成されており、上面に後方に向けて延びるガイド突起１２も設けられている。さらに、ホルダ２０の前面には、レンズ保持枠１０のガイド突起１２が嵌め込まれる切り欠き２１が設けられている。
【０００８】
撮影装置１の組み立て時には、まず、ホルダ２０のカム面に調整リング４０のカム突起が嵌め込まれ、接着剤などを使って調整リング４０にカムリング３０が固定される。続いて、シャッタ６０がねじ２１でレンズ保持枠１０に固定され、そのレンズ保持枠１０のカム突起がカムリング３０に嵌め込まれるとともに、レンズ保持枠１０のガイド突起１２がホルダ２０の切り欠き２１に嵌め込まれる。さらに、ホルダ２０とレンズ保持枠１０に引っ張りばね５０が取り付けられることによって、調整リング４０、カムリング３０、およびレンズ保持枠１０がホルダ２０に保持される。
【０００９】
続いて、フランジバックの調整が行われる。
【００１０】
調整リング４０を回転させると、調整リング４０がホルダ２０に対して前後方向に移動し、その結果、カムリング３０およびレンズ保持枠１０も前後方向に移動する。製造者によって調整リング４０が回転されることにより、レンズ保持枠１０が移動されてフランジバックが調整される。フランジバックの調整が終了すると、接着剤などを使って調整リング４０がホルダ２０に固定される。
【００１１】
以上のようにして、撮影装置１が組み立てられる。
【００１２】
実際の撮影時には、カムリング３０に設けられたレバー３１を図１の矢印Ａ方向に動かすと、カムリング３０が回転してレンズ保持枠１０が被写体に向けて前方に繰り出され、接写撮影が行われる。
【００１３】
ここで、撮影装置１では、ガイド突起１２が切り欠き２１に嵌め込まれることによって、レンズ保持枠１０の回転方向の移動は規制されているが、前後方向の移動は規制されていないため、落下などの衝撃によってレンズ保持枠１０に前方に向けて大きな力が印加されると、レンズ保持枠１０がホルダ２０から外れてしまって、撮影を行うことができなくなってしまう恐れがある。
【００１４】
この点に関し、本願出願人は、ホルダに爪を設けるとともに、カムリングにホルダの爪が嵌め込まれる溝を設け、ホルダとカムリングとの間にレンズ保持枠を挟み、ホルダの爪がカムリングの溝に嵌るようにカムリングをホルダに取り付けて、さらにカムリングを回転させることによって爪と溝との位置を周方向にずらす技術について提案している（特許文献１参照）。この特許文献１に記載された技術によると、ホルダの爪とカムリングの溝との位置がずれているため、レンズ保持枠に前方に向けて大きな力が掛かっても、ホルダの爪がカムリングに引っ掛かかり、レンズ保持枠がホルダから外れてしまう不具合を回避することができる。
【特許文献１】特開２００５−１５６９７５号公報
【発明の開示】
【発明が解決しようとする課題】
【００１５】
しかし、図１および図２に示す撮影装置１のように、衝撃などによってレンズ保持枠１０がホルダ２０から外れてしまいやすい構成を有する撮影装置では、その撮影装置が搭載された携帯電話などに、レンズ保持枠をホルダに向けて押し付けるレンズカバーやストッパを設ける必要があり、装置が大型化してしまったり、デザイン的にも規制されてしまうという問題がある。
【００１６】
本発明は、上記事情に鑑み、装置の大型化を抑え、光学部材が抜けてしまう不具合を回避することができる光学ユニット、および撮影装置を提供することを目的とする。
【課題を解決するための手段】
【００１７】
上記目的を達成する本発明の光学ユニットは、光学部材を保持する、光学部材の光軸方向後方に突出する爪を有する枠体と、
枠体の爪が光軸方向にガタをもって嵌め込まれて抜け止めされた抜止部を有し、枠体を保持するホルダと、
枠体をホルダに引き寄せる方向に付勢する付勢部材とを備えたことを特徴とする。
【００１８】
本発明の光学ユニットによると、落下などの衝撃によって枠体に大きな力が印加されても、枠体が付勢部材によってホルダに向けて付勢されているとともに、枠体の爪がホルダの抜止部に嵌め込まれて抜け止めされているため、枠体がホルダから外れてしまう不具合を回避することができる。
【００１９】
また、本発明の光学ユニットにおいて、上記枠体と上記ホルダとの間に配備され、ホルダに回転自在に保持されたカムリングを備え、
上記枠体が、カムリングに干渉する干渉部を有し、カムリングの回転に伴って、ホルダに保持された爪が抜止部に嵌め込まれたまま光軸方向に移動するものであることが好適である。
【００２０】
本発明の好適な光学ユニットによると、枠体がホルダから外れてしまう不具合を防止することができるとともに、この光学ユニットを撮影装置に搭載することによって、接写撮影を実現することができる。
【００２１】
また、本発明の光学ユニットにおいて、上記枠体が、光学部材を直接に保持する第１枠と、第１枠がねじ込まれ第１枠の光軸方向の相対位置が調整された状態に第１枠を固定した第２枠とからなることが好ましい。
【００２２】
図１および図２に示す調整リング４０は、撮影装置１の製造時にフランジバックを調整するためのものであり、出荷後には利用されないため、無駄に装置の厚みを増加させてしまっている。光学部材を保持する枠体を第１枠と第２枠とで構成し、第１枠の位置を第２枠に対して調整することによって、フランジバック調整用のリングを省くことができ、光学ユニットが搭載された携帯電話機などを薄型化することができる。
【００２３】
また、上記目的を達成する本発明の撮影装置は、撮影レンズを保持する、撮影レンズの光軸方向後方に突出する爪を有する枠体と、枠体の爪が光軸方向にガタをもって嵌め込まれて抜け止めされた抜止部を有し、枠体を保持するホルダと、枠体を前記ホルダに引き寄せる方向に付勢する付勢部材とを備えた光学ユニット、および
撮影レンズを通過してきた被写体光を捉えて画像データを生成する撮影部とを具備したことを特徴とする。
【００２４】
本発明の撮影装置によると、撮影レンズをホルダに向けて押し付けるレンズカバーなどを設ける必要がなく、装置の大型化や、デザイン上の規制を軽減することができる。
【００２５】
また、本発明の撮影装置において、上記光学ユニットが、さらに、
枠体とホルダとの間に配備され、ホルダに回転自在に保持されたカムリングを備え、
上記枠体が、カムリングに干渉する干渉部を有し、カムリングの回転に伴って、ホルダに保持された爪が抜止部に嵌め込まれたまま光軸方向に移動するものであることが好ましい。
【００２６】
撮影レンズがホルダに対して光軸方向に移動されることによって、接写撮影を実現することができる。
【発明の効果】
【００２７】
本発明によれば、装置の大型化を抑え、光学部材が抜けてしまう不具合を回避することができる。
【発明を実施するための最良の形態】
【００２８】
以下図面を参照して本発明の実施の形態を説明する。
【００２９】
図３は、本発明の撮影装置の一実施形態である携帯電話機の外観斜視図である。
【００３０】
この携帯電話機１００には、主に、外部装置との間で音声や電子メールなどを送受信するデータ通信機能と、被写体を撮影する撮影機能とが搭載されている。
【００３１】
図３（Ａ）に示すように、携帯電話機１００の前面には、メニュー画面や、撮影画像などが表示される液晶パネル１０１、内部にスピーカ（図４参照）が配備され、スピーカから発せられる音声を放つための送話口１０２、基地局を介して音声や電子メールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図４参照）が配備され、声をマイクロフォンに伝えるための受話口１０６、ユーザが入力した電話番号などを確定する確定ボタン１０７、電源ボタン１０８、および基地局を介さずに、近距離用の無線通信によって画像やアドレス情報などを送受信するための第２アンテナ１０９ａが備えられている。
【００３２】
図３（Ｂ）に示すように、携帯電話機１００の背面には、焦点距離が固定の固定焦点レンズ１１０ａが埋め込まれている。固定焦点レンズ１１０ａは、本発明にいう光学部材の一例にあたるとともに、本発明にいう撮影レンズの一例にも相当する。また、携帯電話機１００の側面には、固定焦点レンズ１１０ａを光軸方向に移動させて、接写撮影を行うためのスライドレバー１００ｂも備えられている。
【００３３】
携帯電話機１００を使って音声や電子メールなどを送信する際には、ユーザがプッシュボタン１０５を使って電話番号や電子メールアドレス等を入力し、確定ボタン１０７を押下すると、無線通信によってデータが指定された通信相手先に向けて発信される。携帯電話機１００から発信されたデータは、一旦、基地局で受信され、基地局から電話回線、ＬＡＮ回線、および別の基地局などを介して通信相手先に伝えられる。逆に、通信相手先から送信されてきたデータは、基地局で受信されて無線のデータに変換された後、携帯電話機１００に伝えられる。
【００３４】
また、携帯電話機１００を使って被写体を撮影する際には、ユーザが、図３（Ｂ）の固定焦点レンズ１１０ａを被写体に向けて選択ボタン１０４を押すと、携帯電話機１００に内蔵されたシャッタが切られて、撮影が行われる。
【００３５】
続いて、携帯電話機１００の内部構造について説明する。
【００３６】
図４は、携帯電話機１００の内部ブロック図である。
【００３７】
携帯電話機１００の内部には、レンズユニット１１０、アイリス１１１、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１送受信部１０３、入力コントローラ１３０、画像信号処理部１４０、ビデオエンコーダ１５０、画像表示装置１６０、第２送受信部１０９、メモリ１７０、ＣＰＵ１８０、メディアコントローラ１９０、各種スイッチ１８１が具備されており、さらに、記録メディア１９１が接続されている。
【００３８】
各種スイッチ１８１には、図３に示す選択ボタン１０４やプッシュボタン１０５などが含まれる。これら各種スイッチ１８１が押下されると、そのスイッチが入ったことがＣＰＵ１８０に伝えられる。
【００３９】
ＣＰＵ１８０は、図４に示す携帯電話機１００の各種要素に処理の指示を伝えて、各種要素を制御する。例えば、撮影を行う撮影モードが設定された状態で図３の選択ボタン１０４が押下されると、ＣＰＵ１８０から図４に示す各種要素に指示が与えられ、撮影が開始される。
【００４０】
まずは、携帯電話機１００に搭載された撮影機能について説明する。
【００４１】
図３にも示す固定焦点レンズ１１０ａは、レンズユニット１１０によって光軸方向に移動自在に保持されている。レンズユニット１１０は、図３にも示すスライドレバー１００ｂと連結されており、ユーザがスライドレバー１００ｂを操作すると、固定焦点レンズ１１０ａが光軸方向に移動して接写撮影が実現される。レンズユニット１１０については、後で詳しく説明する。
【００４２】
固定焦点レンズ１１０ａを通過してきた被写体光は、アイリス１１１によって光量が調整された後、ＣＣＤ１１２上に結像され、ＣＣＤ１１２において、被写体像を表わす画像信号が生成される。ＣＣＤ１１２は、本発明にいう撮影部の一例に相当する。生成された画像信号は、Ａ／Ｄ変換部１１３において粗く読み出され、アナログ信号がデジタル信号に変換されて、低解像度なスルー画像データが生成される。ここで、ＣＣＤ１１２には、ＣＰＵ１８０からタイミング信号が供給されており、このタイミング信号に同期して、所定の間隔ごとに、画像信号が生成される。生成されたスルー画像データは、入力コントローラ１３０を介して画像信号処理部１４０に送られる。
【００４３】
画像信号処理部１４０では、スルー画像データにＲＧＢレベルの調節、ガンマ調整等といった画像処理が施される。画像処理後のスルー画像データは、ビデオエンコーダ１５０に送られ、さらに、画像表示装置１６０に伝えられて、液晶パネル１０１上に、スルー画像データが表わすスルー画像が表示される。ここで、ＣＣＤ１１２では、所定のタイミング毎に被写体光が読み取られて画像信号が生成されているため、この液晶パネル１０１には、固定焦点レンズ１１０ａが向けられた方向のスルー画像が常に表示され続ける。
【００４４】
また、Ａ／Ｄ変換部１１３で生成されたスルー画像データは、ＣＰＵ１８０にも供給される。ＣＰＵ１８０は、スルー画像データに基づいて被写体の輝度を検出し、検出した輝度に応じてアイリス１１１の絞り値を調整する（ＡＥ処理）。
【００４５】
ここで、液晶パネル１０１に表示されたスルー画像を確認しながら、撮影者が図３に示す選択ボタン１０４を押下すると、選択ボタン１０４が押されたことがＣＰＵ１８０に伝えられ、ＣＣＤ１１２で生成された画像信号がＡ／Ｄ変換部１１３において細かく読み出されて、高解像度な撮影画像データが生成される。生成された撮影画像データは、入力コントローラ１３０を介して画像信号処理部１４０に送られ、ＲＧＢレベルの調節、およびガンマ調整といった画像処理が施された後、圧縮されてメモリ１７０に送られる。
【００４６】
メモリ１７０には、この携帯電話機１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された撮影画像データが記憶されるＶＲＡＭが含まれている。ＶＲＡＭは、複数領域に分割されており、撮影画像データが複数領域に順番に記憶され、記憶された撮影画像データはビデオエンコーダ１５０やメディアコントローラ１９０に順次に読み出される。
【００４７】
ビデオエンコーダ１５０は、ＣＰＵ１８０からの指示に従って、メモリ１７０から圧縮後の撮影画像データを取得し、圧縮後の撮影画像データを、液晶パネル１０１で表示できるデータ形式に変換する。変換後の撮影画像データは画像表示装置１３０に送られ、画像表示装置１３０によって、撮影画像データが表す撮影画像が液晶パネル１０１に表示される。また、ユーザによって撮影画像データの保存が指示された場合には、メディアコントローラ１９０は、メモリ１７０に記憶された圧縮後の撮影画像データを記録メディア１９１へ記録し、ユーザによって撮影画像データの表示が指示された場合には、メディアコントローラ１９０は、記録メディア１９１に記録された圧縮後の撮影画像データを読み出して、ビデオエンコーダ１５０に伝える。
【００４８】
続いて、携帯電話機１００に搭載されたデータ通信機能について説明する。
【００４９】
図３に示すプッシュボタン１０５を使って電話番号が入力され、確定ボタン１０７が押下されると、電話番号が設定されて相手装置との通信が開始される。このとき、携帯電話機１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して基地局に伝わり、基地局で、指定された電話番号が割り当てられた相手装置との接続が確立される。
【００５０】
相手装置との接続が確立すると、ユーザが携帯電話機１００に向けて発した声がマイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００５１】
また、この携帯電話機１００には、基地局を介して他の携帯電話機などといった相手装置と通信するための通信インタフェース（第１送受信部１０３、第１アンテナ１０３ａ）とは別に、基地局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話機などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００５２】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９１に記録される。
【００５３】
携帯電話機１００は、基本的には以上のように構成されている。
【００５４】
以下では、本発明の光学ユニットの一実施形態であり、固定焦点レンズ１１０ａを光軸方向に移動自在に保持するレンズユニット１１０について説明する。
【００５５】
図５は、レンズユニット１１０の分解斜視図であり、図６は、組み立てられたレンズユニット１１０の外観斜視図である。
【００５６】
レンズユニット１１０には、固定焦点レンズ１００ａを保持する保持枠２４０と、背面にカム突起２３２が設けられた連結枠２３０と、前面にカム面２２２が設けられたカムリング２２０と、連結枠２３０およびカムリング２２０を保持するホルダ２１０が備えられている。保持枠２４０は、本発明にいう第１枠の一例にあたり、連結枠２３０は、本発明にいう第２枠の一例にあたり、連結枠２３０と保持枠２４０とを合わせたものは、本発明にいう枠体の一例に相当する。また、カムリング２２０は、本発明にいうカムリングの一例にあたり、ホルダ２１０は、本発明にいうホルダの一例に相当する。
【００５７】
ホルダ２１０には、カムリング２２０の外周に合った内径を有する筒２１１が形成されており、その筒２１１の一部に切欠部２１２が設けられている。また、連結枠２３０には、ホルダ２１０の切欠部２１２に嵌め込まれる爪２３３が設けられている。
【００５８】
レンズユニット１１０は、以下のように組み立てられる。
【００５９】
まず、ホルダ２１０の筒２１１にカムリング２２０が嵌め込まれる。
【００６０】
続いて、カムリング２２０のカム面２２２に連結枠２３０のカム突起２３２が嵌り、連結枠２３０の爪２３３がホルダ２１０の切欠部２１２に嵌るように、連結枠２３０がカムリング２２０およびホルダ２１０に取り付けられる。尚、連結枠２３０の爪２３３は、ガタをもって切欠部２１２に嵌め込まれ、連結枠２３０は光軸方向（前後方向）に移動自在にホルダ２１０に取り付けられる。切欠部２１２は、本発明にいう抜止部の一例にあたり、カム突起２３２は、本発明にいう干渉部の一例に相当する。
【００６１】
ホルダ２１０にカムリング２２０と連結枠２３０が保持されると、連結枠２３０とホルダ２１０に引っ張りばね３００が取り付けられる。この引っ張りばね３００によって、連結枠２３０がホルダ２１０に向けて押し付けられる。引っ張りばね３００は、本発明にいう付勢部材の一例に相当する。
【００６２】
続いて、フランジバックが調整される。連結枠２３０および保持枠２４０には、ねじ溝２３１，２４１が形成されており、連結枠２３０に保持枠２４０がねじ込まれることによって、固定焦点レンズ１００ａの前後方向の位置が調整され、フランジバックが調整される。フランジバックが調整されると、接着剤などを使って、保持枠２４０が連結枠２３０に固定される。このように、連結枠２３０に保持枠２４０をねじ込んでフランジバックを調整することにより、フランジバック調整用のリングなどを省くことができ、携帯電話機１００を薄型化することができる。
【００６３】
以上のようにして、図６に示すレンズユニット１１０が組み立てられる。
【００６４】
ここで、連結枠２３０は、固定焦点レンズ１００ａが保持された保持枠２４０が固定され、カム突起２３２がカムリング２２０のカム面２２２に嵌め込まれ、爪２３３がホルダ２１０の切欠部２１２に嵌め込まれて、さらに、引っ張りばね３００によってホルダ２１０に向けて付勢されている。
【００６５】
また、カムリング２２０には、レバー２２１が設けられており、このレバー２２１が図３（Ｂ）および図４に示すスライドレバー１００ｂに連結されている。
【００６６】
ユーザがスライドレバー１００ｂを操作すると、スライドレバー１００ｂと連結されたレバー２２１が移動されて、カムリング２２０が回転する。カムリング２２０が回転すると、カムリング２２０のカム面２２２に嵌め込まれた連結枠２３０のカム突起２３２が被写体に向けて前方に押し出される。その結果、固定焦点レンズ１００ａが前方に移動し、接写撮影が可能となる。
【００６７】
図７は、連結枠２３０の爪２３３付近の拡大図である。
【００６８】
連結枠２３０の爪２３３は、ガタをもって切欠部２１２に嵌め込まれており、通常は、引っ張りばね３００の付勢力によって、連結枠２３０が被写体とは逆の後方（図７の右側）に押し付けられているが、接写撮影時には、カムリング２２０が移動することによって、連結枠２３０が被写体に向けて前方（図７の左側）に押し出される。
【００６９】
ここで、携帯電話機１００の落下時などに、保持枠２４０や連結枠２３０に前方に大きな力が印加されると、連結枠２３０は、引っ張りばね３００の付勢力に逆らって前側に押し出されるが、爪２３３が切欠部２１２に引っ掛かるため、ホルダ２１０から抜けてしまう不具合が回避される。
【００７０】
このように、本実施形態によると、保持枠２４０の前面に、保持枠２４０をホルダ２１０に押し付けるレンズカバーなどを設けることなく、装置の大型化を抑えて、保持枠２４０がホルダ２１０から外れてしまう不具合を確実に防止することができる。
【００７１】
ここで、上記では、本発明の撮影装置を携帯電話機に適用する例について説明したが、本発明の撮影装置は、例えば、デジタルカメラや銀塩カメラなどに適用してもよい。
【００７２】
また、上記では、本発明にいう撮影部の一例としてＣＣＤが示されているが、本発明にいう撮影部はＣＭＯＳセンサなどであってもよい。
【図面の簡単な説明】
【００７３】
【図１】接写撮影が可能な撮影装置の外観斜視図である。
【図２】図１に示す撮影装置の分解斜視図である
【図３】本発明の撮影装置の一実施形態である携帯電話機の外観斜視図である。
【図４】携帯電話機の概略的な内部構成図である。
【図５】レンズユニットの分解斜視図である。
【図６】組み立てられたレンズユニットの外観斜視図である。
【図７】連結枠の爪付近の拡大図である。
【符号の説明】
【００７４】
１００    携帯電話機
１００ａ    固定焦点レンズ
１０１    液晶パネル
１０２    送話口
１０３    第１送受信部
１０３ａ    第１アンテナ
１０４    選択ボタン
１０５    プッシュボタン
１０６    受話口
１０７    確定ボタン
１０８    電源ボタン
１０９    第２送受信部
１０９ａ    第２アンテナ
１１０    レンズユニット
１１１    アイリス
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
１９０    メディアコントローラ
２１０    ホルダ
２１１    筒
２１２    切欠部
２２０    カムリング
２２１    レバー
２２２    カム面
２３０    連結枠
２３３    爪
２４０    保持枠
【図１】
2008058651.tif 000003
【図２】
2008058651.tif 000004
【図３】
2008058651.tif 000005
【図４】
2008058651.tif 000006
【図５】
2008058651.tif 000007
【図６】
2008058651.tif 000008
【図７】
2008058651.tif 000009